(57)【特許請求の範囲】
【請求項１】
アクセスポイントと通信する狭域高速無線通信インタフェース手段と、基地局と通信する広域移動通信インタフェース手段とを有する携帯端末において、
複数の衛星から配信される測位電波を受信する測位電波受信手段と、
前記広域移動通信インタフェース手段によって検出される電波の通信品質値が、上位閾値以下に減衰したか否かと、下位閾値以下に減衰したか否かとを判定する通信品質判定手段と、
前記通信品質値が、前記上位閾値以下に減衰した後、第１の所定時間内に、前記下位閾値以下にまで減衰した際に、前記測位電波受信手段を起動して前記測位電波の受信を開始し、有効な測位電波を受信できなかった場合にのみ、見通し不可情報を出力する測位制御手段と、
前記見通し不可情報が出力された際に、前記狭域高速無線通信インタフェース手段を起動し、前記アクセスポイントを発見するように制御する起動制御手段と
を有し、
前記上位閾値は、当該携帯端末が屋外に位置する際に検出される程度の通信品質値であり、前記下位閾値は、当該携帯端末が屋内に位置する際に検出される程度の通信品質値であることを特徴とする携帯端末。
【請求項２】
前記通信品質判定手段は、前記通信品質値が、最下位閾値以下に減衰したか否かを更に判定し、
前記測位制御手段は、前記通信品質値が、更にその後、第２の所定時間の間、前記下位閾値から前記最下位閾値までの範囲で継続した際に、前記測位電波受信手段を起動して前記測位電波の受信を開始することを特徴とする請求項１に記載の携帯端末。
【請求項３】
前記狭域高速無線通信インタフェース手段は、無線ＬＡＮ(Local Area Network)用であり、
起動した前記狭域高速無線通信インタフェース手段が、前記アクセスポイントを発見した際に、前記広域移動通信インタフェース手段によって前記基地局と通信している状態から、前記狭域高速無線通信インタフェース手段によって前記アクセスポイントと通信する状態へハンドオーバするハンドオーバ制御手段を更に有することを特徴とする請求項１又は２に記載の携帯端末。
【請求項４】
前記狭域高速無線通信インタフェース手段の起動保留時間を計測する起動保留タイマ手段を更に有し、
前記起動制御手段は、起動した前記狭域高速無線通信インタフェース手段が前記アクセスポイントを発見できないとき、前記起動保留タイマ手段に対して起動保留時間の計測開始を指示し、該起動保留時間が進行している限り、前記狭域高速無線通信インタフェースを停止するように制御する
ことを特徴とする請求項１から３のいずれか１項に記載の携帯端末。
【請求項５】
アクセスポイントと通信する狭域高速無線通信インタフェース手段と、基地局と通信する広域移動通信インタフェース手段とを有する携帯端末に搭載されたコンピュータを機能させるプログラムにおいて、
複数の衛星から配信される測位電波を受信する測位電波受信手段と、
前記広域移動通信インタフェース手段によって検出される電波の通信品質値が、上位閾値以下に減衰したか否かと、下位閾値以下に減衰したか否かとを判定する通信品質判定手段と、
前記通信品質値が、前記上位閾値以下に減衰した後、第１の所定時間内に、前記下位閾値以下にまで減衰した際に、前記測位電波受信手段を起動して前記測位電波の受信を開始し、有効な測位電波を受信できなかった場合にのみ、見通し不可情報を出力する測位制御手段と、
前記見通し不可情報が出力された際に、前記狭域高速無線通信インタフェース手段を起動し、前記アクセスポイントを発見するように制御する起動制御手段と
してコンピュータを機能させ、
前記上位閾値は、当該携帯端末が屋外に位置する際に検出される程度の通信品質値であり、前記下位閾値は、当該携帯端末が屋内に位置する際に検出される程度の通信品質値であることを特徴とする携帯端末用のプログラム。
【請求項６】
アクセスポイントと通信する狭域高速無線通信インタフェース部と、基地局と通信する広域移動通信インタフェース部とを有する携帯端末における狭域高速無線通信システムの起動方法において、
複数の衛星から配信される測位電波を受信する測位電波受信部を有し、
前記広域移動通信インタフェース部によって検出される電波の通信品質値が、上位閾値以下に減衰した後、第１の所定時間内に、下位閾値以下に減衰した際に、前記測位電波受信部を起動して前記測位電波の受信を開始し、有効な測位電波を受信できなかった場合にのみ、見通し不可情報を出力する第１のステップと、
前記見通し不可情報が出力された際に、前記狭域高速無線通信インタフェース部を起動し、前記アクセスポイントを発見するように制御する第２のステップと
を有し、
前記上位閾値は、当該携帯端末が屋外に位置する際に検出される程度の通信品質値であり、前記下位閾値は、当該携帯端末が屋内に位置する際に検出される程度の通信品質値であることを特徴とする携帯端末における狭域高速無線通信システムの起動方法。
【発明の詳細な説明】
【技術分野】
【０００１】
本発明は、狭域高速無線通信インタフェースを自動的に起動する携帯端末、プログラム及び方法に関する。
【背景技術】
【０００２】
近年、複数の通信システムと通信可能であって、現在位置に応じてその通信システムを切り替えることができるマルチモード移動無線に対応した携帯端末が開発されてきている。このような携帯端末は、第１の通信システムと通信している際に、切替先となる第２の通信システムのサービスエリアを検知する必要がある。
【０００３】
マルチモード移動無線に対応した携帯端末は、通常、広域移動通信システム及び狭域高速無線通信システムの両方と通信可能である。広域移動通信システムとしては、代表的に、ＣＤＭＡ(Code Division Multiple Access)方式のセルラ通信システムがある。また、狭域高速無線通信システムとしては、代表的に、ＩＥＥＥ８０２．１１規格の無線ＬＡＮ(Local Area Network)通信システムがある。従って、このような携帯端末は、セルラ通信インタフェースと無線ＬＡＮ通信インタフェースとを有する。
【０００４】
現在のところ、無線ＬＡＮ通信エリアは、セルラ通信エリアよりも狭く、そのほとんどは屋内に限られている。そのため、携帯端末は、セルラ通信インタフェースを用いて基地局と通信をしている際に、無線ＬＡＮ通信インタフェースを起動して、定期的にアクセスポイントを発見（センシング）する必要がある（例えば非特許文献１参照）。
【０００５】
このとき、携帯端末を所持するユーザが、手動で、通信モードを選択する技術もある（例えば非特許文献２参照）。この技術によれば、通信モードとして、「携帯電話のみ」モードと、「携帯電話及び無線ＬＡＮ」モードとを選択することができる。例えば、外出時には「携帯電話のみ」モードに切り替え、社内又は屋内のように無線ＬＡＮを使用することができる場所に移動した際に「携帯電話及び無線ＬＡＮ」モードに切り替える。これによって、「携帯電話のみ」モードの際には、無線ＬＡＮのアクセスポイントをセンシングする必要がなくなり、外出時における携帯端末のバッテリの消費電力を減らすことができる。
【０００６】
また、セルラ通信システムと無線ＬＡＮ通信システムとの間で、エリア情報を交換するアーキテクチャを採用し、無線ＬＡＮ通信インタフェースの常時起動という問題点を改善する技術もある（例えば非特許文献３参照）。
【０００７】
更に、サーバが、無線ＬＡＮ通信のエリア情報を蓄積した技術もある（例えば非特許文献４参照）。この技術によれば、携帯端末が現在位置情報をサーバに送信する。これに対し、サーバは、その携帯端末の現在位置が無線ＬＡＮ通信エリアにカバーされているか否かを判定し、その判定結果を、携帯端末へ返信する。携帯端末は、現在位置が無線ＬＡＮ通信エリアにカバーされている場合、無線ＬＡＮ通信インタフェースを起動する。これにより、無線ＬＡＮ通信インタフェースを、常時起動させる必要がない。
【０００８】
更に、無線ＬＡＮ通信用のアクセスポイントを定期的に探索することなく、一定回数の探索に失敗すると、次の探索までの時間をそれまでよりも長くすることにより、外出時における携帯端末のバッテリの消費電力を減らす技術もある（例えば特許文献１参照）。
【０００９】
【非特許文献１】「ＫＤＤＩ、携帯電話やＰＨＳ、無線ＬＡＮの自動切替えツールを無償提供」、ｂｂウォッチインプレス、[online]、［平成１９年９月１９日検索］、インターネット＜ＵＲＬ：http://bb.watch.impress.co.jp/cda/news/2670.html＞
【非特許文献２】「ドコモ、無線ＬＡＮ搭載の法人向けＦＯＭＡ「Ｎ９００ｉＬ」を開発」、ケータイインプレス、[online]、［平成１９年９月１９日検索］、インターネット＜ＵＲＬ：http://k-tai.impress.co.jp/cda/article/news_toppage/19695.html＞
【非特許文献３】SuKyoung Lee and Nada Golmie, “Power-EfficientInterface Selection Scheme using Paging of WWAN for WLAN in HeterogeneousWireless Networks,” IEEE International Conference on Communications (ICC) 2006,Jun. 2006.
【非特許文献４】M. Ylianttila, J. Makela and K. Pahlavan, “Analysisof handoff in a location-aware vertical multi-access network,” ComputerNetworks 47(2), Feb. 2005.
【非特許文献５】E. Shih, P. Bahl, and M.J. Sinclair, “Wakeon Wireless:An Event Driven Energy Saving Strategy for Battery OperatedDevices,” Proc. of ACM MOBICOM’02, Sep. 2002.
【非特許文献６】J. Ko, J. Kim, S. Cho and K. Lee, “A 19-mW2.6-mm/sup 2/ L1/L2 dual-band CMOS GPS receiver,” IEEE Journal of Solid-StateCircuits, Jul. 2005.
【特許文献１】特開２００６−０１３５９４号公報
【発明の開示】
【発明が解決しようとする課題】
【００１０】
携帯端末に搭載可能なバッテリの容量は限られている。従って、非特許文献１に記載の技術によれば、携帯端末は、アクセスポイントの定期的なセンシングに基づく電力消費を強いられる。また、消費電力を低減させるために、センシングのタイミングの時間間隔を長くすると、無線ＬＡＮ通信のアクセスポイントの発見が遅れることになる。
【００１１】
勿論、無線ＬＡＮ通信インタフェースに、省電力モードを搭載した技術もある。しかし、この技術は、携帯端末とアクセスポイントと間で接続が完了した後にのみ、有効となる。即ち、アクセスポイントが、携帯端末に対して「データ有無を示す信号を、どのタイミングで送信するか」のネゴシエーションが実行された後に、初めて有効になるものである。従って、携帯端末が、無線ＬＡＮ通信エリア以外のエリアに存在する場合、この省電力モードの機能を適用することはできない。結局、無線ＬＡＮ通信エリアに存在するかどうか不明な位置で、無線ＬＡＮ通信インタフェースを起動し、無線ＬＡＮのチャネル毎に、一定時間、アクセスポイントをセンシングする必要がある。これは、結果的に、携帯端末の電力消費につながる。
【００１２】
また、非特許文献２に記載された技術によれば、携帯端末を所持するユーザが、手動で、通信モードを選択するために、ユーザに煩雑な操作を強いることとなる。また、ユーザによって認識されていない無線ＬＡＮ通信エリアでは、無線ＬＡＮ通信が使用されることはない。
【００１３】
更に、非特許文献３及び４に記載された技術によれば、セルラ通信システムと無線ＬＡＮ通信システムとの間で特別な通信方式を採用する必要があり、既存のネットワークをそのまま利用することができない。
【００１４】
更に、特許文献１に記載された技術によれば、定期的なセンシングよって、消費電力を抑えることができる。しかしながら、屋外等の全く無線ＬＡＮのエリアではない場所を移動し続ける間は、無駄に電力を消費することとなる。また、一定時間以上、無線ＬＡＮ通信エリアを発見できない場合、センシングの時間間隔が延びるために、屋内などの無線ＬＡＮ通信エリアに進入した直後は、そのアクセスポイントの発見が遅れることとなる。
【００１５】
そこで、本発明は、既存の通信システムに特別な通信方式を採用することなく、消費電力の観点から狭域高速無線通信インタフェースの常時起動を避けることができる携帯端末、プログラム及び方法を提供することを目的とする。
【課題を解決するための手段】
【００１６】
本発明によれば、アクセスポイントと通信する狭域高速無線通信インタフェース手段と、基地局と通信する広域移動通信インタフェース手段とを有する携帯端末において、
複数の衛星から配信される測位電波を受信する測位電波受信手段と、
広域移動通信インタフェース手段によって検出される電波の通信品質値が、上位閾値以下に減衰したか否かと、下位閾値以下に減衰したか否かとを判定する通信品質判定手段と、
通信品質値が、上位閾値以下に減衰した後、第１の所定時間内に、下位閾値以下にまで減衰した際に、測位電波受信手段を起動して測位電波の受信を開始し、有効な測位電波を受信できなかった場合にのみ、見通し不可情報を出力する測位制御手段と、
見通し不可情報が出力された際に、狭域高速無線通信インタフェース手段を起動し、アクセスポイントを発見するように制御する起動制御手段と
を有し、
上位閾値は、当該携帯端末が屋外に位置する際に検出される程度の通信品質値であり、下位閾値は、当該携帯端末が屋内に位置する際に検出される程度の通信品質値であることを特徴とする携帯端末。
【００２３】
本発明の携帯端末における他の実施形態によれば、
通信品質判定手段は、通信品質値が、最下位閾値以下に減衰したか否かを更に判定し、
測位制御手段は、通信品質値が、更にその後、第２の所定時間の間、下位閾値から最下位閾値までの範囲で継続した際に、測位電波受信手段を起動して測位電波の受信を開始することも好ましい。
【００２５】
本発明の携帯端末における他の実施形態によれば、
狭域高速無線通信インタフェース手段は、無線ＬＡＮ(Local Area Network)用であり、
起動した狭域高速無線通信インタフェース手段が、アクセスポイントを発見した際に、広域移動通信インタフェース手段によって基地局と通信している状態から、狭域高速無線通信インタフェース手段によってアクセスポイントと通信する状態へハンドオーバするハンドオーバ制御手段を更に有することも好ましい。
【００２６】
本発明の携帯端末における他の実施形態によれば、
狭域高速無線通信インタフェース手段の起動保留時間を計測する起動保留タイマ手段を更に有し、
起動制御手段は、起動した狭域高速無線通信インタフェース手段がアクセスポイントを発見できないとき、起動保留タイマ手段に対して起動保留時間の計測開始を指示し、該起動保留時間が進行している限り、狭域高速無線通信インタフェースを停止するように制御することも好ましい。
【００２７】
本発明によれば、アクセスポイントと通信する狭域高速無線通信インタフェース手段と、基地局と通信する広域移動通信インタフェース手段とを有する携帯端末に搭載されたコンピュータを機能させるプログラムにおいて、
複数の衛星から配信される測位電波を受信する測位電波受信手段と、
広域移動通信インタフェース手段によって検出される電波の通信品質値が、上位閾値以下に減衰したか否かと、下位閾値以下に減衰したか否かとを判定する通信品質判定手段と、
通信品質値が、上位閾値以下に減衰した後、第１の所定時間内に、下位閾値以下にまで減衰した際に、測位電波受信手段を起動して測位電波の受信を開始し、有効な測位電波を受信できなかった場合にのみ、見通し不可情報を出力する測位制御手段と、
見通し不可情報が出力された際に、狭域高速無線通信インタフェース手段を起動し、アクセスポイントを発見するように制御する起動制御手段と
してコンピュータを機能させ、
上位閾値は、当該携帯端末が屋外に位置する際に検出される程度の通信品質値であり、下位閾値は、当該携帯端末が屋内に位置する際に検出される程度の通信品質値であることを特徴とする。
【００２８】
本発明によれば、アクセスポイントと通信する狭域高速無線通信インタフェース部と、基地局と通信する広域移動通信インタフェース部とを有する携帯端末における狭域高速無線通信システムの起動方法において、
複数の衛星から配信される測位電波を受信する測位電波受信部を有し、
広域移動通信インタフェース部によって検出される電波の通信品質値が、上位閾値以下に減衰した後、第１の所定時間内に、下位閾値以下に減衰した際に、測位電波受信部を起動して測位電波の受信を開始し、有効な測位電波を受信できなかった場合にのみ、見通し不可情報を出力する第１のステップと、
見通し不可情報が出力された際に、狭域高速無線通信インタフェース部を起動し、アクセスポイントを発見するように制御する第２のステップと
を有し、
上位閾値は、当該携帯端末が屋外に位置する際に検出される程度の通信品質値であり、下位閾値は、当該携帯端末が屋内に位置する際に検出される程度の通信品質値であることを特徴とする。
【発明の効果】
【００２９】
本発明の携帯端末、プログラム及び方法によれば、携帯端末の測位機能の制御のみであるので、既存の通信システムに特別な通信方式を採用する必要がない。また、狭域高速無線通信インタフェースの常時起動を避けることができるので、バッテリ容量に制限のある携帯端末にとって低消費電力を実現することができる。
【発明を実施するための最良の形態】
【００３０】
以下では、図面を用いて、本発明を実施するための最良の形態について詳細に説明する。
【００３１】
図１は、本発明における携帯端末の移動を表すシステム構成図である。
【００３２】
図１によれば、利用者が所持する携帯端末１は、アクセスポイント４と通信する無線ＬＡＮ通信インタフェース部を有する。無線ＬＡＮ通信は、例えばＩＥＥＥ８０２．１１である。ここで、携帯端末１は、携帯電話網７に接続された基地局３と通信するセルラ通信インタフェース部を更に有するものであってもよい。セルラ通信は、例えばＣＤＭＡ方式である。無線ＬＡＮ通信インタフェース部とセルラ通信インタフェース部とを有することにより、２つの通信システムの間でハンドオーバをすることができる。
【００３３】
携帯端末１は、屋内で無線ＬＡＮ用のアクセスポイント４と通信をすることができ、屋外でセルラ用の基地局３と通信することができる。屋内に設置されたアクセスポイント４は、同じ建物２内に設置されているホームゲートウェイ５を介して、インターネット６に接続されている。相手方通信装置８は、利用者の所持する携帯端末１との間で、インターネット６と通信するアクセスポイント４を介して、又は、携帯電話網７に接続された基地局３を介して、通信をすることができる。
【００３４】
また、携帯端末１は、ＧＰＳ(Global Positioning System)の衛星９からの測位電波を受信する測位電波受信部も備えている。測位電波には、衛星の時刻及び軌道の情報が含まれている。３つの衛星からの測位電波から、各衛星までの距離を算出し、結果的に地球上のその位置を特定することができる。
【００３５】
図１によれば、携帯端末１を所持する利用者は、屋外から屋内へ移動しようとしている。現在のところ、無線ＬＡＮ通信エリアは、主に、空港、飲食店、ホテル、会社、家庭等の屋内にある。携帯端末１は、屋外に位置するときは、衛星９からの測位電波を受信でき、屋内に位置するときは、有効な測位電波を受信することはできない。例えば、測位電波自体が受信できなかったり、測位電波の強度が弱いため有効な測位データを得られなかったりする。このように有効な測位電波が受信できなかった時、屋内に位置すると推定し、無線ＬＡＮ通信インタフェースを起動し、アクセスポイントのセンシングを始める。逆に、測位電波を受信できる屋外にいるときは、無線ＬＡＮ通信インタフェースを停止（電源ＯＦＦ又はスリープモード）にすることができる。即ち、本発明によれば、測位電波の受信の有無に応じて、無線ＬＡＮ通信インタフェースの起動の有無を決定する。これよって、携帯端末が屋外に位置するとき、アクセスポイントをセンシングすることもなく、無駄な電力を消費しないようにすることができる。
【００３６】
図２は、携帯端末が屋外から屋内に移動した場合におけるセルラの通信品質値の変化を表すグラフである。
【００３７】
セルラ通信インタフェースを備えた携帯端末が、屋内に入った場合、セルラ通信の電波は、障害物の遮蔽によって生じる電波減衰の影響を受ける。このとき、携帯端末は、基地局からの電波の受信品質の減衰を検出する。即ち、携帯端末が屋内に入った時、携帯端末によって受信される基地局からの電波は、屋内の外壁等によってその浸透率が下がる。
【００３８】
セルラ通信の通信品質値としては、例えば、ＤＲＣ(Data Rate Control：受信パイロットのＣ／Ｉに基づいて導出される要求レート)がある。図２のグラフは、縦軸にＤＲＣ値（Ｋｂｐｓ）を表し、横軸に経過時間（秒）を表す。また、縦軸のＤＲＣ値には、下位閾値ＴＨlowerも表されている。
【００３９】
図２におけるセルラ通信の通信品質値の変化は、具体的には、携帯端末を保持した歩行者が、自動ドアから屋内に入ってその奥の廊下を進行しているときを想定し、その場合のＤＲＣ値の変動を描いたものである。図２のグラフからも明らかなとおり、携帯端末が屋内に入った途端に、ＤＲＣ値が大きく減衰している。その後、下位閾値ＴＨlowerよりも低いＤＲＣ値が継続している。
【００４０】
セルラ通信の通信品質値としては、ＤＲＣ値以外に、以下のような値を用いることもできる。勿論、これら値を組み合わせたものであってもよい。
（１）受信電力ＲｘＰｏｗｅｒ
（２）受信信号強度ＲＳＳ(Received Signal Strength)
（３）信号対干渉信号比ＳＩＮＲ(Signal to Interference Ratio)
（４）Ｅｃ／Ｉｏ（パイロット受信電力／全受信電力(RSSI)）
（５）パケット損失率ＰＥＲ(Packet Error Rate)
（６）フレーム損失率ＦＥＲ(Frame Error Rate)
【００４１】
図２のグラフは、以下のようなシーケンスを表している。
（Ｓ２０１）携帯端末は、屋外に位置し、屋内に入る直前に位置する。このとき、セルラ通信の通信品質値は高い。
【００４２】
（Ｓ２０２）携帯端末が屋内に入ると、セルラ通信の通信品質値が急激に低下する。そして、通信品質値が、下位閾値ＴＨlow以下になった際に、携帯端末の測位電波受信部を起動する。その測位電波受信部は、ＧＰＳの衛星から配信される測位電波の受信を開始する。
【００４３】
尚、既存のＧＰＳ受信部は、現在位置を測位するものであって、少なくとも３つの衛星からの測位電波を受信する必要がある。３つの測位電波を受信することによって、初めて、自らの位置（緯度・経度）を特定することができるからである。
【００４４】
これに対し、本発明に基づく携帯端末の測位電波受信部１０７は、現在位置を測位することまでは要しない。あくまで測位電波を受信できなかったかどうかを判断する。１つの測位電波を受信できた段階、又は所定数（例えば２つ）の測位電波を受信できた段階で、測位電波受信部１０７は停止する。その時点で、携帯端末が、見通しのきく屋外に位置していると推定できるからである。ここで、測位電波が微弱であり、所定の受信強度を下回る衛星を、前述の所定数（例えば２つ）から外してもよい。また、測位電波の受信有無を判断するための所定待機時間を導入することも好ましい。所定待機時間は、測位電波受信部の起動開始時間から測位電波の有無を判断するまでの時間である。図２によれば、所定待機時間は、例えば以下のような時間である。
所定待機時間＝Ｓ２０３の時刻−Ｓ２０２の時刻
【００４５】
（Ｓ２０３）携帯端末が屋内に位置する場合、ＧＰＳの衛星からのいずれか１つの測位電波も受信できない。このような見通し不可となっている場合、携帯端末は、屋内に位置すると推定し、無線ＬＡＮ通信インタフェース部を起動し、アクセスポイントのセンシングを始める。
【００４６】
（Ｓ２０４）その後、携帯端末の無線ＬＡＮ通信インタフェースが、アクセスポイントを発見した場合、無線ＬＡＮ通信を始める。これにより、無線ＬＡＮ通信を起動でき、又は、セルラ通信から無線ＬＡＮ通信へのハンドオーバをすることができる。
【００４７】
図３は、本発明における携帯端末の機能構成図である。
【００４８】
図３によれば、携帯端末１は、セルラ通信インタフェース部１０１と、無線ＬＡＮ通信インタフェース部１０２と、ハンドオーバ制御部１０３と、通信品質判定部１０４と、起動制御部１０５と、起動保留タイマ部１０６と、測位電波受信部１０７と、測位制御部１０８とを有する。ハンドオーバ制御部１０３と、通信品質判定部１０４と、起動制御部１０５と、起動保留タイマ部１０６と、測位制御部１０８とは、携帯端末１に搭載されたコンピュータを機能させるプログラムを実行させることによって実現できる。また、測位電波の受信の後、起動制御部１０５が動作することによって、無線ＬＡＮ通信インタフェースの起動方法としても実現できる。
【００４９】
通信品質判定部１０４は、セルラ通信インタフェース部１０１によって検出される電波の通信品質値が、以下の条件を満たしたか否かを判定する。この判定情報は、測位制御部１０８へ通知される。
（条件１）通信品質値が、上位閾値ＴＨhigh以下に減衰した
（条件２）通信品質値が、下位閾値ＴＨlow以下に減衰した
（条件３）通信品質値が、最下位閾値ＴＨlow-max以下に減衰した
【００５０】
図４は、本発明における無線ＬＡＮ通信インタフェースの起動タイミングを表すグラフである。
【００５１】
図４によれば、上位閾値ＴＨhighは、携帯端末１が屋外に位置する際に検出される程度の通信品質値である。また、下位閾値ＴＨlowと最下位閾値ＴＨlow-maxとの間の範囲は、携帯端末１が屋内に位置する際に検出される程度の通信品質値である。
【００５２】
測位制御部１０８は、所定時間毎に定期的に、測位電波受信部１０７を起動するものであってもよい。従来技術によれば、携帯端末の位置に関係なく、常に定期的に、アクセスポイントをセンシングしていた。一方、本発明によれば、携帯端末の位置に関係なく、常に定期的に、ＧＰＳによる測位電波を検出することもできる。
【００５３】
通常、アクセスポイントのセンシングに必要となる消費電力と比較して、ＧＰＳによる測位電波の受信に必要となる消費電力は低い。非特許文献５又は６の記載によれば、無線ＬＡＮ通信インタフェースのアイドルモード時の消費電力は１６１ｍＷであるのに対し、ＧＰＳ受信部の消費電力は１９ｍＷである。即ち、無線ＬＡＮ通信インタフェースを起動するよりも、ＧＰＳ受信部を起動している方が、携帯端末の消費電力の観点からは好ましい。
【００５４】
また、測位制御部１０８は、通信品質判定部１０４から通知された判定情報に応じて、測位電波受信部１０７の起動／停止を制御することも好ましい。例えば、判定情報として、以下のように３つの制御方法がある。
【００５５】
（制御１）通信品質値がＴＨlow以下に減衰した際（Ｓ４０２）に、測位制御部１０８は、測位電波受信部１０７を起動する。携帯端末によって観測されるセルラ通信の電波の通信品質値が、屋内の通信品質値と同程度に減衰した際に、屋内に入ったことを確認するために、測位電波受信部１０７を起動し、ＧＰＳの複数の衛星から配信される測位電波を受信し始める。
【００５６】
（制御２）通信品質値が、上位閾値ＴＨhigh以下に減衰し（Ｓ４０１）、その後、第１の所定時間Ｔ１内に、下位閾値ＴＨlow以下に減衰した際（Ｓ４０２）に、測位制御部１０８は、測位電波受信部１０７を起動する。通常、例えば歩行者が屋外から屋内に入った場合、携帯端末によって観測されるセルラ通信の電波の通信品質値は、比較的短い時間内に、一気に減衰する。従って、その比較的短い時間内に、携帯端末が屋外から屋内に入った程度の通信品質値と同程度に減衰した際に、屋内に入ったことを確認するために、測位電波受信部１０７を起動し、ＧＰＳの複数の衛星から配信される測位電波を受信し始める。
【００５７】
（制御３）通信品質値が、第２の所定時間Ｔ２の間、下位閾値ＴＨlowから最下位閾値ＴＨlow-maxまでの範囲で継続した際（Ｓ４０３）に、測位制御部１０８は、測位電波受信部１０７を起動する。携帯端末が屋内に入った状態にあっても、その携帯端末は、比較的低い通信品質のセルラ通信の電波を受信している。従って、携帯端末が屋外から屋内に入った程度の通信品質値が、第２の所定時間Ｔ２だけ継続した際に、屋内に入ったことを確認するために、測位電波受信部１０７を起動し、測位電波を受信し始める。
【００５８】
測位制御部１０８は、測位電波受信部１０７が測位電波を受信できなかった場合にのみ、見通し不可情報を、起動制御部１０５へ出力する。
【００５９】
起動制御部１０５は、見通し不可情報が出力された際に、無線ＬＡＮ通信インタフェース部１０２を起動し、アクセスポイントを発見するように制御する。
【００６０】
起動保留タイマ部１０６は、測位電波受信部１０７の起動保留時間を計測する。
【００６１】
起動制御部１０５は、起動した無線ＬＡＮ通信インタフェース部１０２がアクセスポイントを発見できないとき、起動保留タイマ部１０６に対して起動保留時間の計測開始を指示する。起動制御部１０５は、その起動保留時間が進行している限り、測位電波受信部１０７を停止するように制御する。
【００６２】
ハンドオーバ制御部１０３は、起動した無線ＬＡＮ通信インタフェース部１０２が、アクセスポイントを発見した際に、セルラ通信インタフェース部１０１によって基地局３と通信している状態から、無線ＬＡＮ通信インタフェース部１０２によってアクセスポイント４と通信する状態へのハンドオーバを制御する。
【００６３】
以上、詳細に説明したように、本発明の携帯端末、プログラム及び方法によれば、携帯端末の測位機能の制御のみであるので、既存の通信システムに特別な通信方式を採用する必要がない。また、狭域高速無線通信インタフェースの常時起動を避けることができるので、バッテリ容量に制限のある携帯端末にとって低消費電力を実現することができる。
【００６４】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００６５】
【図１】本発明における携帯端末の移動を表すシステム構成図である。
【図２】携帯端末が屋外から屋内に移動した場合におけるセルラの通信品質値の変化を表すグラフである。
【図３】本発明における携帯端末の機能構成図である。
【図４】本発明における無線ＬＡＮ通信インタフェースの起動タイミングを表すグラフである。
【符号の説明】
【００６６】
１  携帯端末
１０１  セルラ通信インタフェース部、広域移動通信インタフェース部
１０２  無線ＬＡＮ通信インタフェース部、狭域高速無線通信インタフェース部
１０３  ハンドオーバ制御部
１０４  通信品質判定部
１０５  起動制御部
１０６  起動保留タイマ部
１０７  測位電波受信部
１０８  測位制御部
２  建物
３  基地局
４  アクセスポイント
５  ホームゲートウェイ
６  インターネット
７  携帯電話網
８  相手方通信装置
９  ＧＰＳの衛星
【図１】
0005020022.tif 000002
【図２】
0005020022.tif 000003
【図３】
0005020022.tif 000004
【図４】
0005020022.tif 000005